(57)【要約】  透析物回路に用いるガス除去装置に関し、一例としては、第１のハウジングと、第２のハウジングから構成されており、際２のハウジングが第１のハウジング内に環状となる位置関係に配列されている。別の例では、ウレアーゼを備えた透析物再生装置と、透析器と、外壁を有するハウジングから構成されており、当該外壁は外気に晒され、ガスを通過し、液体を通過させず、ハウジングはウレアーゼと透析器との間に配置されている。
2011509760.tif 000002
【特許請求の範囲】
【請求項１】
ａ．入口と、第１の長さと、第１の内側チャンバーを規定する内側壁とを有する第１のハウジングと、
ｂ．前記第１のハウジングとの位置関係が環状になるよう前記第１の内側チャンバー内に配置され、外側壁と、出口と、第２の長さと、第２の内側チャンバーを規定する内側壁とを有し、前記第２の長さは前記第１の長さより短く、前記第１の長さと前記第２の長さの間の空間が隙間を形成する第２のハウジングと、
ｃ．前記入口と前記隙間と、前記出口とにより規定されるガス除去装置内を通る流路と、
ｄ．前記隙間近傍に配設された疎水性膜と、を有することを特徴とするガス除去装置。
【請求項２】
前記隙間は略０．０２インチから０．１インチの範囲にあることを特徴とする請求項１記載のガス除去装置。
【請求項３】
前記第１のハウジングの前記内側壁と前記第２のハウジングの前記外側壁の間の空間は略０．０４インチから０．２４インチの範囲にあることを特徴とする請求項１に記載のガス除去装置。
【請求項４】
透析物から実質的に全てのガスを流量率が毎分２０ｍｌから４５０ｍｌで除去可能に構成された請求項１に記載のガス除去装置。
【請求項５】
前記第２のハウジングがフィルタを備えたことを特徴とする請求項１に記載のガス除去装置。
【請求項６】
前記フィルタの厚さは約０．１インチから０．４インチの範囲にあることを特徴とする請求項１に記載のガス除去装置。
【請求項７】
前記疎水性膜は前記第２のハウジングから前記隙間に等しい距離だけ離間して配置されていることを特徴とする請求項１に記載のガス除去装置。
【請求項８】
前記入口と前記出口はガス除去装置の同じ側に配列されていることを特徴とする請求項１に記載のガス除去装置。
【請求項９】
ガスを含む流体が前記入口から前記第１の内側チャンバー内に流入し、前記隙間を通って流れ、前記疎水性膜を通過し、前記第２の内側チャンバーに流入し、前記出口から流出し、前記ガスは前記疎水性膜を通過し、液体は前記疎水性膜を通過しないことを特徴とする請求項１に記載のガス除去装置。
【請求項１０】
ウレアーゼを備えた透析物再生装置と、透析器と、請求項１記載のガス除去装置を有することを特徴とする透析物回路。
【請求項１１】
前記ガス除去装置は前記ウレアーゼと前記透析器との間に配設されたことを特徴とする請求項１０に記載の透析物回路。
【請求項１２】
ａ．ウレアーゼを備えた透析物再生装置と、
ｂ．外気に晒され、ガスを通過し、液体を通過させない外壁を有するハウジングと、
ｃ．透析器とからなり、
前記ハウジングは前記ウレアーゼと前記透析器との間に配置されていることを特徴とする透析物回路。
【請求項１３】
前記ハウジングは、チューブ、ューブ、チューブの一部若しくはチューブ製コイルの少なくとも一つからなることを特徴とする請求項１２記載の透析物回路。
【請求項１４】
前記ハウジングは、長さが０．５フィートから１６フィートの範囲にある膜を備えたことを特徴とする請求項１２に記載の透析物回路。
【請求項１５】
前記ハウジングは、外径が略０．１から０．４５インチの範囲にある膜を備えたことを特徴とする請求項１２に記載の透析物回路。
【請求項１６】
前記ハウジングは、内径が略０．１から０．４インチの範囲にある膜を備えたことを特徴とする請求項１２に記載の透析物回路。
【請求項１７】
前記ハウジングは、透析物から毎分略２０ｍｌから２００ｍｌの流量率で透析物からほぼ全てのガスを除去することを特徴とする請求項１２に記載の透析物回路。
【請求項１８】
前記ハウジングは、内圧が１０ｐｓｉ若しくはそれ以下で透析物からほぼ全てのガスを除去することを特徴とする請求項１２に記載の透析物回路。
【請求項１９】
前記透析物再生装置は、木炭を備え、前記ハウジングは前記木炭と透析器の間に配置されていることを特徴とする請求項１２に記載の透析物回路。
【発明の詳細な説明】
【技術分野】
【０００１】
本発明は、血液透析分野に関し、より詳細には、透析器の溶質除去特性を低下させずに、透析装置の透析回路から二酸化炭素やその他のガスを効果的に除去するための方法及び装置に関するものである。
【背景技術】
【０００２】
閉ループ・マルチパス吸着媒型透析器は、複数種の吸着媒を用いて透析物を再生させることができる一方で、携帯可能で小型であるという利点がある。通常、これらの吸着媒は使い捨てのカートリッジや容器に収容されており、従来の装置で使われていたものと同様なウレアーゼ、リン酸ジルコニウム、含水性酸化ジルコニウム、活性炭素のような吸着媒合成層で構成されている。透析器の中で、不純血液から拡散した尿素を含む疲弊した透析物が従来の吸着媒入りカートリッジを通過すると、二酸化炭素とアンモニアという２種類の不要な副次物が化学反応の結果生ずる。アンモニアはジルコニウムベースのカートリッジに吸着されるが、二酸化炭素は吸着されず、透析物に混ざり合い透析回路中に二酸化炭素の気泡として顕在化する。大量の二酸化炭素はもはや液中に溶解している状態ではなくなり、透析物のスムーズなポンピングを阻害することになる。更に、液中に溶解している他の種類のガスも処理過程でガスとして出現し、システム中のガスの容量を増加させることになる。
【発明の開示】
【発明が解決しようとする課題】
【０００３】
かかる事情により、透析回路から二酸化炭素やその他の不要なガスを除去できるようなガス除去装置が必要となる。かかるガス除去装置は、特に携帯可能な透析器に適合したものである必要があり、透析器の向きによってガス除去装置の動作に変動をもたらしたり、あるいは効率が落ちないようにする必要がある。同時に、ガス除去装置は使い捨てできるよう、小型、軽量かつ低価格であることが要求される。
【課題を解決するための手段】
【０００４】
本発明の目的は、二酸化炭素やその他のガス及び気泡を透析物回路から効果的に排気若しくは除去するガス除去装置を提供することにある。これら排気対象は、透析器の溶媒システムにおいて、ウレアーゼによって分離された尿素から生成されるものである。
【０００５】
本発明の他の目的は、携帯型人工腎臓（ＰＡＫ）のような携帯可能な血液透析器に特に適合可能なガス除去装置を提供することにあり、透析器の向きによってガス除去装置の動作が中断したり、効率が下がらないようにすることが肝心である。
【０００６】
本発明の更に他の目的は、ガス除去装置を小型、軽量、低価格で提供し、使い捨て可能なものとすることにある。
【０００７】
本発明の一実施の形態によるガス除去装置は、環状で同心配列された２つのリングで構成されており、これらが内側と外側のハウジングを構成する。内側ハウジングの上端は開放されており、外側ハウジングの上端は微小孔疎水性膜で封止されている。当該膜はガスを通過させることはできるが、液体は通過させることができない。内側ハウジングの上端開放面と当該膜の間には隙間が形成されている。環状で同心配列された２つのハウジングにより、内側第１チャンバーと、外側第２チャンバーが提供される。透析中は、二酸化炭素が混入した透析物が外側第２チャンバー内に入り込んで上方移動し、透析物から自動的に二酸化炭素が分離して小さな二酸化炭素の気泡となり、これが微小孔疎水性膜を通って排気される。この間、透析物は内側第１チャンバーに流れ込み、ガス除去装置から排出される。
【０００８】
本発明の一実施の形態によるガス除去装置は、ａ）入口と、第１の長さと、第１の内側チャンバーを規定する内側壁とを有する第１のハウジングと、ｂ）前記第１のハウジングとの位置関係が環状になるよう前記第１の内側チャンバー内に配置され、外側壁と、出口と、第２の長さと、第２の内側チャンバーを規定する内側壁とを有し、前記第２の長さは前記第１の長さより短く、前記第１の長さと前記第２の長さの間の空間が隙間を形成する第２のハウジングと、ｃ）前記入口と前記隙間と、前記出口とにより規定されるガス除去装置内を通る流路と、ｄ）前記隙間近傍に配設された疎水性膜と、を有することを特徴としている。
【０００９】
当該ガス除去装置の前記隙間は略０．０２インチから０．１インチの範囲にあり、前記第１のハウジングの前記内側壁と前記第２のハウジングの前記外側壁の間の空間は略０．０４インチから０．２４インチの範囲にあり、更に、透析物から実質的に全てのガスを流量率が毎分２０ｍｌから４５０ｍｌで除去可能に構成するのが好ましい。また、前記第２のハウジングはフィルタを備え、前記フィルタの厚さは約０．１インチから０．４インチの範囲にあり、前記疎水性膜は前記第２のハウジングから前記隙間に等しい距離だけ離間して配置されていることが好ましい。
【００１０】
前記入口と前記出口はガス除去装置の同じ側に配列されており、ガスを含む流体が前記入口から前記第１の内側チャンバー内に流入し、前記隙間を通って流れ、前記疎水性膜を通過し、前記第２の内側チャンバーに流入し、前記出口から流出し、前記ガスは前記疎水性膜を通過し、液体は前記疎水性膜を通過しないように構成することが好ましい。透析物回路は、ウレアーゼを備えた透析物再生装置と、透析器とからなり、ウレアーゼと前記透析器の間に配設するのが好ましい。
【００１１】
本発明の他の実施の形態による透析物回路は、ａ）ウレアーゼを備えた透析物再生装置と、ｂ）外気に晒され、ガスを通過し、液体を通過させない外壁を有するハウジングと、ｃ）透析器とからなり、前記チューブは前記ウレアーゼと前記透析器との間に配置されている。前記ハウジングは、好ましくはチューブ、チューブの一部若しくはチューブ製コイルの少なくとも一つからなり、チューブ内部には何も無い状態とし（外壁により規定される内側チャンバーには何らの構造物も障害物も存在しない）、外壁が外気に晒されているか、少なくともガス除去装置外側領域に露出した状態となっている。
【００１２】
ハウジングは、長さが０．５フィートから１６フィートの範囲にある膜を備え、外径が略０．１から０．４５インチの範囲にあり、内径が略０．１から０．４インチの範囲にある膜を備えることが好ましい。  前記ハウジング（ガス除去装置）は、透析物から毎分略２０ｍｌから２００ｍｌの流量率で透析物からほぼ全てのガスを除去し、あるいは内圧が１０ｐｓｉ若しくはそれ以下で透析物からほぼ全てのガスを除去することが望ましい。また、前記透析物再生装置は、木炭を備え、前記ハウジングは前記木炭と透析器の間に配置されるようにするのがよい。
【図面の簡単な説明】
【００１３】
【図１】着用可能な透析装置の例を示した実施の形態の概略図。
【図２】透析を行う際の処理の流れの一例を示した概略図。
【図３】本発明によるガス除去装置の例示的な実施の形態を示した図。
【図４】本発明によるガス除去装置の他の例示的な実施の形態を示した図。
【図５ａ】透析器との関係でガス除去装置を拡大した図。
【図５ｂ】液体を通過せずガスを通過させる材料でできたガス除去装置を別の視点から見た図。
【発明を実施するための最良の形態】
【００１４】
本発明は、多種多様の形態で実施可能であるが、本発明の理解を容易にするために、図示した実施の形態について説明する。しかしながら、本発明の技術的範囲はこれらの実施の形態に限定されるものではない。本願明細書には、参照用として、米国特許出願第12/324,924号、同第12/210，080号、同第12/238，055号、同第12/237，914号、同第12/249,090号及び同第12/245,397号、米国特許第6,960，179号、米国特許出願第10/940，862号、同10/846,618号、同11/427,267号、同11/500,572号及び国際特許出願第PCT/US06/30923号の記載を含むものとする。
【００１５】
閉ループ・マルチパス吸着媒を用いた透析装置では、複数の吸着媒カートリッジと適当な添加物からなる再生部に疲弊した透析物を送り込むことで、透析物を再生し再使用できるようにする。通常の吸着媒カートリッジ装置は、ウレアーゼカートリッジ、リン酸ジルコニウムカートリッジ、含水性酸化ジルコニウムカートリッジ、及び活性炭素カートリッジから構成されている。これらの吸着媒が、一般に利用されているＲＥＤＹ(登録商標)装置で使われている吸着媒と同じものであることは当業者の了解事項である。
【００１６】
疲弊した透析物がＲＥＤＹ(登録商標)装置内を通過すると、吸着媒装置において、尿素から炭酸アンモニウムへの変換、アンモニアイオンから水素イオンへの交換、水素イオンと炭酸塩との反応により相当量の二酸化炭素が生成される。液相から泡状になった多量の二酸化炭素は、透析物をスムーズにポンピングする際の障害となるため、除去する必要がある。加えて、液相から泡状になる二酸化炭素以外のガスについても、二酸化炭素ガスと共に除去する必要がある。
【００１７】
そこで、本発明は、二酸化炭素及びその他の種類のガスを閉回路構成の透析装置から除去するガス除去装置を提供するものである。本発明によるガス除去装置はどのような向きでも機能するように構成されており、使い捨て使用を可能にする程度に小型、低コストであり、そのため定期的なクリーニングや消毒を必要としない。
【００１８】
図４は、本発明によるガス除去装置４００を示したもので、２つの環状もしくは円筒状のハウジング４０５，４１０とからなる。これらハウジング４０５，４１０は同心円状に配列されている。内側ハウジング４０５の上端部は開放されており、円形の縁となって現れている。外側ハウジング４１０の上端部は微小孔が形成された疎水性膜４１５で封止されている。この疎水性膜４１５はガスを通過させるが、液体は通過させない。疎水性膜４１５は、このような機能を有すれば種類を問わず、PALL(登録商標)疎水性膜やGore(登録商標)疎水性膜を用いることができる。型番は、SMPL-MM317,MMT-RD-001, MMT-RD-002B,MMT-RD-002A等である。内側ハウジング４０５の上端部と外側ハウジング４１０の上端部に封止された疎水性膜との間には隙間が存在する。その隙間は、ガス泡が通過できるような寸法になっている。通常であれば、当該寸法は、０．０２インチから０．２５インチの範囲に設定すればよいが、本実施の形態では、０．０５インチから０．１５インチの範囲に設定している。内側ハウジング４０５は内側第１チャンバー４０５を規定し、内側ハウジング４０５と外側ハウジング４１０の間の同心領域は第２のチャンバー４１１を構成している。入口管４２０が第２チャンバー４１１の入口孔に接続されており、出口管４２５が第１のチャンバー４０１の出口孔に接続されている。
【００１９】
一実施の形態では、第１のハウジング４０５の内面は不連続に形成されており、その不連続面上で液中のガスを現出させ、収集し、気泡を形成して上方に泳動させて疎水性膜を通過するようにしている。また、本実施の形態では、第１のハウジングは、略０．１〜０．４インチ (好ましくは、０．２５インチ) の厚さ、０．５〜１．５インチ(好ましくは１インチ)の内径、０．５〜２．５インチ(好ましくは１．５インチ)の外径を有するフィルタ膜を有している。更に、別の実施の形態では、第１ハウジング４０５と疎水性膜４１５の間に形成された頂部隙間は、略０．０２〜０．１インチ(好ましくは、０．０６４インチ)に設定されており、内側ハウジング４０５の外側と外側ハウジング４１０の内側壁の間の隙間は略０．０４〜０．２４インチ(好ましくは０．１４１インチ)に設定されており、内側ハウジング４０５とガス除去装置４００のベース管には隙間はない。一実施の形態では、ガス除去装置４００の高さは１〜５インチ(好ましくは３インチ)、外径は０．５〜３インチ(好ましくは１．７５インチ)となっている。ガス除去装置は、毎分２０〜４５０ｍｌ(好ましくは２５０ｍｌ)の流速の透析物からほぼ全てのガスを除去することができる。
【００２０】
血液透析中、二酸化炭素を含む透析物が入口管４２０に入り、同心円上の第２チャンバー４１１を通過し、隙間を介して内側の第１のチャンバー４０１へ溢れ出る。そして、第１のチャンバー４０１に接続された出口管４２５から流出する。透析物と二酸化炭素の混合物が入口管４２０に送られるこのプロセスの間、当該混合物は上方に移動し、二酸化炭素が透析物から分離され、小さな二酸化炭素の気泡を形成して、これが微小孔を有する疎水性膜４１５を介して排気される。二酸化炭素を含まない透析物は、出口管４２５から排出される。ガス除去室は透析流路中の様々な場所に配置することができるが、図５ａ及び図５ｂに示されているように、透析物を吸着媒容器で濾過する直前の流路に配置するのが好ましい。ガス除去室が装置内に設けられているか否かに拘わらず、ガス除去室は鉛直に維持する必要があり、疎水性膜４１５を頂部に配置して、気泡をガス除去装置４００に向かわせ、同装置を通って同装置の外部に排出するようにする。
【００２１】
図１は、携帯型透析装置１００として構成された閉ループ・マルチパス透析器１００を示したものである。本実施の形態では、当該透析器１００は、血液と透析物の両者を透析器１００内に送り込むためのシャトルポンプ若しくは２チャンネルパルスポンプ１０５と、０．６平方メータの膜面積を有する多束ポリスルホン透析器１１０と、透析物再生システム１１５と、電解質添加剤１１６及びｐＨコントロール回路(不図示)用容器と、ヘパリン１１７を血液回路に送り込むためのマイクロポンプ（不図示）と、超過分用超濾過器１１９と、血液漏出・気泡検出器及びポンプパワーアップ・アラーム遮断システム１２０とから構成される。上記透析物再生システム１１５は３つの特別に設計された容器からなり、それらの容器には複数種の溶剤が収容されている。容器１２２にはジルコニウム、リン酸塩が、容器１２３には活性炭が、容器１２１にはウレアーゼが収容されている。添加物としては、Ｍｇ，Ｃａ，Ｋ、炭酸水素ナトリウムを用いる。全ては予め指定されたフローレートで流される。
【００２２】
主ポンプ１０５は３ワットのＤＣマイクロモータを使用している。ギヤヘッドは発振機構を収容しており、２チャンネルフローカートリッジと連携して、制御可能な割合として１チャンネル当たり毎分４０〜１００ｍｌの血液と透析物双方の同時パルスフローを可能にしている。当該カートリッジでは、他のシステムやコンポーネントの構成は配置に応じて、血液と透析物を共に同じ方向に流す事も可能であるし、相互に反対方向に流すことも可能である。しかしながら、一方のチャンネルが流体を圧縮可能なチャンバーの外に押し出す場合には、他方のチャンネルがその圧縮可能なチャンバーを充填し、前記一方のチャンバーのピーク圧力と前記他方のチャンネルの圧力が同時に最も低いレベルになるようにする。
【００２３】
一実施の形態においては、溶剤用容器にはおよそ下記に示す量の吸着媒が充填されている（透析物フローの順番で）。
【００２４】
１２１、容器番号１：薄フィルタ紙後段にウレアーゼ５０グラムとその先にジルコニウムリン酸塩３３５グラム
【００２５】
１２２、容器番号２：薄フィルタ紙後段にジルコニウムリン酸塩３３５グラムとその先に含水性酸化ジルコニウム５０グラム
【００２６】
１２３：容器番号３：活性炭１１５０グラム
【００２７】
ガス除去装置１２４はウレアーゼ容器１２１とジルコニウムリン酸塩容器１２２の間に配設されている。ウレアーゼ容器１２１におけるウレアーゼと尿素との反応によって生成される二酸化炭素ガスは、透析物流体がジルコニウムリン酸塩容器１２２内に入る前に、ガス除去装置１２４により除去される。ガス除去装置１２４は、回路内において、上記とは異なる位置に配設することも可能である。例えば、図５ａに示すように、ガス除去装置１２４を全吸着剤容器の後段に配設し、その後に活性炭容器１２３を配設するようにしてもよい。即ち、ガス除去装置１２４はジルコニウムリン酸塩容器１２２の後段で活性炭容器１２３の前段に、若しくは、活性炭容器１２３の後段で透析器１１０の後段に配設することができる。
【００２８】
ガス除去装置１２４の他の実施の形態を図５ａと図５ｂに示す。ガス除去装置５２０は、ＧＯＲＥ社により製造されているチューブ部材番号ＭＭＴ−ＲＤ−００２Ａのようなガス透過性チューブコイルで構成されている。図５ａにおいて、ガス除去装置５２０はチューブ５２２を介して透析器に接続されている。図５ｂは、チューブ５２２に接続されたガス除去装置５２０を示したものである。このチューブ５２２は全長９フィートで、外径が約０．２７５インチ、壁厚が約０．２５インチである。コイルアセンブリは外径が約２．２５インチ、高さが約２．５インチである。本実施の形態では、外側チャンバーの外壁全体がガス透過性であり、図４に示した実施の形態のようにガスが頂部からだけ拡散するのとは異なり、外壁のどの部分からも拡散できる。図１に示した透析装置に用いた場合に適合するように、本実施の形態によるガス除去装置の配設方向は基本的にどのようにも選定することができる。装置の一実施の形態では、チューブの全長は９フィートである。このようなサイズに設計することで、通常の消耗する人工腎臓に対するガス除去能力を提供するための適切な表面積を確保することができる。かかる人工腎臓とは、１日２４時間、１週７日に亘って透析物と血液を毎分１００ｍｌ若しくはそれ以下のフローレートで動作するものを指す。チューブがこれより短いと表面積が小さくなり、ガスの除去能力が低下する。フローレートを低下するか、チューブの全長を長くすれば、ガスの除去能力は増加する。
【００２９】
動作について説明すると、ガス除去装置５２０におけるガス透過チューブの多重コイルの頂部に自己生成されるポケットにガスが収集される。このガスポケットの位置は装置の配列方向に応じて変わる。様々な配列方向において、重力により決定されるガス収集面を上方とする。装置の全長に亘ってガス透過性チューブで構成されているので、どこでガスポケットがガス収集をするにしても、チューブとガス収集位置とは重ならない。
【００３０】
チューブのパッケージ化の別の方法は、長く曲がりくねった形状にして消耗する人工腎臓を使用している患者の腰の回りに付けられたベルトの形状に沿ったものにすることである。図５ｂに示されている実施の形態は、ガス除去装置の機能を失わせしめるものではない。重要な点は、装置の形状がどのようなものであっても、流体路を十分な長さ、即ち十分な表面積を有するガス透過性チューブで構成し、所望のガス量を除去することにある。
【００３１】
図３に示されている他の実施の形態では、ガス除去装置３００はチューブ、ハウジング、コイル状チューブの一部にあるか、若しくは別の形状３１０であって、その内部にチャンバー３２５とフローパス３０５が形成されている。ハウジング３１０の外壁は、ガスを透過させるが流体を通過させないような材料３１５で形成されている。通過するガスの量が生成されるガスの量と等しくなるか、生成されるガスの量を超えるように、材料３１５のサイズを決定しなければならない。ガスの発生は、患者の尿素レベルと透析フローレートの積となる。ガス除去装置３００を通過するガスは、壁面積とチューブのガス通過率の積に、チューブに作用する外部圧力に対するチューブ内の流体による内部圧力を加えたものである。当業者であれば、与えられたパラメータに基づき、材料の選択を適宜行い、意図した応用をすることができるであろう。
【００３２】
一実施の形態によるガス除去装置は、長さが０．５フィート〜１６フィートの間（好ましくは９フィート長）で、外径が約０．１〜０．４５インチ(好ましくは０．２７５インチ)、内径が約０．１〜０．４インチ(好ましくは０．２５インチ)で、隙間のないコイルを備え、任意の形状のＧＯＲＥ膜を有する。前記実施の形態によるガス除去装置３００は、フローレートが約毎分２０ｍｌ〜２００ｍｌ(好ましくは毎分１００ｍｌ)及び／又はチューブ内圧力が１０ｐｓｉ若しくはそれ以下(好ましくは５ｐｓｉ若しくはそれ以下)で透析物から実質的に全てのガスを除去する。前記実施の形態によるガス除去装置３００は吸着媒容器（具体的には、木炭吸着媒）と透析器の間に配設される。前記実施の形態によるガス除去装置３００はウレアーゼ容器の後段、透析器の前段に配設される。
＜特性例１＞
【００３３】
図１に示した透析器１００の様々な構成について試験を行い、動作特性、とりわけガス除去装置１２４と５２０のガス除去能力についての評価を行った。図２を参照する。透析器と塩水を用意し、透析器２００を大きな容器２０５（４０〜８０リットル）に接続する。容器２０５には適切に処理された水溶液（ここでは「血液」と呼ぶことにし、イオンを取り除いた水から、若しくは使われた人間の透析物から生成したもの）が充填されており、この血液は末期腎臓病（ＥＳＲＤ）である典型的な人の血液を的確に再現したものである。この「血液」は実際の人の血液成分に近似するよう生成されたもので、約５０ｍｇ／ｄＬの血液尿素窒素（ＢＵＮ）、１０ｍｇ／ｄＬのクレアチニン、５ｍｍｏｌ／Ｌのカリウム（Ｋ）及びその他の溶媒を含んでいる。添加物は含んでおらず、超濾過も行っていない。しかしながら、透析物のｐＨは炭酸水素ナトリウムをマニュアル注入することで最適値に維持されている。これは生成された二酸化炭素の量に関する効果を測定するためである。「血液」と透析物試料は３０分毎に引かれ、ｐＨ、ＢＵＮ及びクレアチニンに対する試料の評価分析を行った。
【００３４】
ガス除去装置５２０を組み立てるためにＧｏｒｅチューブＭＭＴ−ＲＤ―００２Ａを使ったある実験では、溶媒用容器には５０グラムのウレアーゼ、６７０グラムのジルコニウムリン酸塩、５０グラムの含水性酸化ジルコニウム、１５０グラムの活性化炭素が充填されており、毎分５５．６ｍＬの平均血液フローレート、毎分４３．２ｍＬの平均透析物フローレートで動作し、ａ）ポンプと容器番号１の間が３００〜４００ｍｍＨｇ、ｂ）容器番号１と２の間が１５０〜２２０ｍｍＨｇ、ｃ）容器番号２と３の間が５５〜６５ｍｍＨｇ、ｄ）透析器とポンプの間が２〜３５ｍｍＨｇ（０以下となることは滅多にない）となるように圧力読取発振レンジを測定した。フローレートにより決定される量のウレアーゼから発生した二酸化炭素と共に血液尿素窒素（ＢＵＮ）として測定された尿素及び尿素濃度が存在する。かかる条件は、実際の人を対象とする透析で案内するためにセットアップされたものである。このような条件下で、ガス除去装置により発生した全ての二酸化炭素を首尾良く除去することができた。
【００３５】
現時点で本発明の最も好ましいと思われる実施の形態について説明したが、本発明の要旨を逸脱しない範囲で、種々の変更や改変を行うこと、また以上説明した実施の形態の各要素をそれらの均等物で置き換えることは、当業者がなしうる範囲内のことである。加えて、本発明の要旨から逸脱しない範囲で、特定の状況あるいは本発明の重要なポイントに適合するような変形例を提供することが可能である。即ち、本発明は、発明を実施する上で最適であるとして説明された特定の実施の形態に限定されるものではなく、特許請求の範囲に記載の発明に包摂される全ての実施の形態を含む。
【図１】
2011509760.tif 000003
【図２】
2011509760.tif 000004
【図３】
2011509760.tif 000005
【図４】
2011509760.tif 000006
【図５ａ】
2011509760.tif 000007
【図５ｂ】
2011509760.tif 000008
【国際調査報告】
2011509760.tif 000009
2011509760.tif 000010
2011509760.tif 000011
2011509760.tif 000012